(57)【要約】      （修正有）【課題】コーヒーを抽出する際に適切な温度および量のお湯を適切なタイミングでコーヒー粉に供給可能であり、短時間でのコーヒーの抽出ができ、小型かつシンプルな構成で清掃容易で継続的に衛生的な使用が可能なコーヒーメーカーを提供する。【解決手段】貯水タンク２０と一体で貯水タンク２０の水を所定温度に加熱するヒーター１０、揚水パイプ５０、ヒーター１０に電力を供給する電源部８０を有する本体３０、貯水タンク２０が着脱可能で本体３０の内部と外部との間で進退する進退移動機構を備え、進退移動機構には、電源部８０と電気的に接続され貯水タンク２０に係脱可能な給電コネクターが配設されていることを特徴とするコーヒーメーカー１００である。【選択図】図１
2018201788.tif 000002
【特許請求の範囲】
【請求項１】
貯水タンクと、前記貯水タンクに一体に取り付けられていると共に前記貯水タンク内の水を所定温度に加熱するヒーターと、前記貯水タンク内の水を汲み上げる揚水パイプと、前記ヒーターに電力を供給する電源部と、をそれぞれ有する本体、および、前記貯水タンクが着脱可能に取り付けられて前記本体の内部と外部との間で進退可能な進退移動機構を備え、
前記進退移動機構には、前記電源部と電気的に接続されていると共に前記貯水タンクに係脱可能に形成された給電コネクターが配設されていることを特徴とするコーヒーメーカー。
【請求項２】
前記本体の内部に回動可能に支持されたリンク部を備え、
前記リンク部には、前記進退移動機構が連結されていると共に前記揚水パイプが固定されており、
前記本体に対する前記進退移動機構の位置に応じて、前記揚水パイプが前記貯水タンクの内部と前記貯水タンクの外部との間を進退することを特徴とする請求項１記載のコーヒーメーカー。
【請求項３】
前記リンク部に取り付けられていると共に前記貯水タンクの上面開口部を閉塞可能に形成された閉塞板を有し、
前記揚水パイプは前記閉塞板を貫通して配設されていることを特徴とする請求項２記載のコーヒーメーカー。
【請求項４】
前記貯水タンクには、前記閉塞板が前記上面開口部を閉塞した際に前記閉塞板との間をシールするシール用パッキンが設けられていることを特徴とする請求項３記載のコーヒーメーカー。
【請求項５】
前記上面開口部は、前記揚水パイプの下端の平面視における移動位置よりも外方位置まで開口する長孔であると共に、前記シール用パッキンは、前記長孔の外周縁に沿って立設されていることを特徴とする請求項４記載のコーヒーメーカー。
【請求項６】
前記リンク部を構成するリンク体は、基本筒体と、前記基本筒体の内部に収容される小径筒体または棒体により形成されていることを特徴とする請求項２〜５のうちのいずれか一項に記載のコーヒーメーカー。
【請求項７】
前記本体には、前記貯水タンクが高さ方向または横方向の少なくとも一方がずれている場合に前記本体の内部への前記貯水タンクの進入を規制する誤挿入防止部材が配設されていることを特徴とする請求項１〜６のうちのいずれか一項に記載のコーヒーメーカー。
【発明の詳細な説明】
【技術分野】
【０００１】
本発明はコーヒーメーカーに関する。
【背景技術】
【０００２】
コーヒー豆を挽いてなるコーヒー粉からコーヒーを抽出するコーヒーメーカーが知られている。このようなコーヒーメーカーを使用する際においては、コーヒーメーカーに水を供給し、この水を所定温度に加熱したお湯を作る必要がある。
【０００３】
コーヒーメーカーに水を供給する構成としては、本体に着脱可能な給水タンクおよび給水タンクに接続された給水パイプを備え、給水パイプ内にある水を本体に内蔵されたヒーターで加熱することでお湯を得る構成（例えば、特許文献１：特開平５−６４６１５号公報）が知られている。また、給水タンクおよび給水タンクとは別体の湯沸タンクを備え、湯沸タンクに水を供給してお湯を得るコーヒーメーカーの構成（例えば、特許文献２：特開２００１−２９２３７号公報）も知られている。
【先行技術文献】
【特許文献】
【０００４】
【特許文献１】特開平５−６４６１５号公報
【特許文献２】特開２００１−２９２３７号公報
【発明の概要】
【発明が解決しようとする課題】
【０００５】
特許文献１に開示されているコーヒーメーカーは、給水パイプ内の水を加熱してお湯を得ている。このため、機構は簡単であるが、コーヒー粉に供給する際に十分な量のお湯を短時間で得ることができず、コーヒー粉に供給するお湯の供給量を細かく制御することが困難であり、コーヒーの抽出完了までの所要時間が長くなってしまうといった課題がある。
【０００６】
また、特許文献２に開示されているコーヒーメーカーは、給水タンクと湯沸タンクとを有しているためコーヒーメーカーが大型化すると共に構造が複雑になってしまう。また、湯沸タンク内のお湯は給水タンク内の水により押し出されることによってコーヒー粉に供給されているので、コーヒー粉に対して適切な量およびタイミングでお湯を供給することが困難であるといった課題がある。さらには、湯沸タンク内に設けられたヒーター等が邪魔になり清掃が困難になるといった課題も有している。
【課題を解決するための手段】
【０００７】
そこで本発明は上記課題を解決すべくなされたものであり、その目的とするところは次のとおりである。すなわち、コーヒー粉からコーヒーを抽出する際に十分なお湯を短時間で得ることができ、適切な温度および量のお湯を適切なタイミングでコーヒー粉に供給することが可能であると共に、小型かつシンプルな構成であってコーヒーの抽出を短時間で行うことが可能で、清掃が容易で継続的に衛生的な使用が可能なコーヒーメーカーを提供することにある。
【０００８】
上記目的を達成するため本願の発明者が鋭意研究した結果、本体に対して着脱可能なヒーター付の貯水タンクを採用し、貯水タンクに一体に取り付けたヒーターで貯水タンク内の水を加熱し、予め十分な量のお湯を作っておき、揚水パイプで貯水タンク内のお湯を吸い上げて適切な温度のお湯を適切なタイミングでコーヒー粉に供給する構成に想到した。
【０００９】
すなわち本発明は、貯水タンクと、前記貯水タンクに一体に取り付けられていると共に前記貯水タンク内の水を所定温度に加熱するヒーターと、前記貯水タンク内の水を汲み上げる揚水パイプと、前記ヒーターに電力を供給する電源部と、をそれぞれ有する本体、および、前記貯水タンクが着脱可能に取り付けられて前記本体の内部と外部との間で進退可能な進退移動機構を備え、前記進退移動機構には、前記電源部と電気的に接続されていると共に前記貯水タンクに係脱可能に形成された給電コネクターが配設されていることを特徴とするコーヒーメーカーである。
【００１０】
これにより、コーヒー粉からコーヒーを抽出する際に十分なお湯を短時間で得ることができ、適切な温度および量のお湯を適切なタイミングでコーヒー粉に供給することが可能であると共に、小型かつシンプルな構成でコーヒーの抽出を短時間で行うことができる。また、貯水タンクにヒーターが一体に取り付けられた簡単な構成であるため、貯水タンクの清掃が容易であるから継続的に衛生的な使用が可能になる。
【００１１】
また、前記本体の内部に回動可能に支持されたリンク部を備え、前記リンク部には、前記進退移動機構が連結されていると共に前記揚水パイプが固定されており、前記本体に対する前記進退移動機構の位置に応じて、前記揚水パイプが前記貯水タンクの内部と前記貯水タンクの外部との間を進退することが好ましい。
【００１２】
これにより、本体からの貯水タンクの着脱を行う際に、進退移動機構を本体から引き出しするだけで、貯水タンク内に進入していた揚水パイプを貯水タンクの外部に退出させることができる。よって揚水パイプが邪魔にならず本体からの貯水タンクの取り外し作業を容易に行うことができる。また、貯水タンクの清掃がさらに容易になる。
【００１３】
また、前記リンク部に取り付けられていると共に前記貯水タンクの上面開口部を閉塞可能に形成された閉塞板を有し、前記揚水パイプは前記閉塞板を貫通して配設されていることが好ましい。
【００１４】
これにより、貯水タンク内のお湯から発生する水蒸気の本体の内部への放出を防止することができ、水蒸気（湯気）や結露等によって本体の内部に配設されている電源部等の故障を防止することができる。
【００１５】
また、前記貯水タンクには、前記閉塞板が前記上面開口部を閉塞した際に前記閉塞板との間をシールするシール用パッキンが設けられていることが好ましい。
【００１６】
これにより、貯水タンク内のお湯から発生する水蒸気の本体の内部への放出をより確実に防ぐことができる。
【００１７】
また、前記上面開口部は、前記揚水パイプの下端の平面視における移動位置よりも外方位置まで開口する長孔であると共に、前記シール用パッキンは、前記長孔の外周縁に沿って立設されていることが好ましい。
【００１８】
これにより、上面開口部の開口面積を可及的に小さくすることができ、貯水タンク内のお湯の保温性を高めることができると共に、本体の内部に貯水タンク内のお湯から発生する水蒸気の放出をより確実に防ぐことができる。
【００１９】
また、前記リンク部を構成するリンク体は、基本筒体と、前記基本筒体の内部に収容される小径筒体または棒体により形成されていることが好ましい。
【００２０】
これにより、本体の内部に配設されるリンク部の構成を小型かつシンプルにすることができるため、コーヒーメーカーの小型化を促進することができる。
【００２１】
また、前記本体には、前記貯水タンクが高さ方向または横方向の少なくとも一方がずれている場合に前記本体の内部への前記貯水タンクの進入を規制する誤挿入防止部材が配設されていることが好ましい。
【００２２】
これにより、貯水タンクを本体の内部に進入させる際に、貯水タンクが本体の一部に衝突することによる破損や、貯水タンク内の水またはお湯がこぼれてしまうといった不具合を回避することができる。また、貯水タンクに取り付けられているヒーターと給電コネクターとの電気的接続を確実にすることができるため、ヒーターへの電力供給を確実に行うことができる。
【発明の効果】
【００２３】
本発明におけるコーヒーメーカーの構成を採用することにより、コーヒー粉からコーヒーを抽出する際に十分なお湯を短時間で得ることができ、適切な温度および量のお湯を適切なタイミングでコーヒー粉に供給することが可能である。また、小型であってシンプルな構成でコーヒーを短時間で抽出することができ、貯水タンクの清掃が容易で継続的に衛生的な使用が可能なコーヒーメーカーを提供することができる。
【図面の簡単な説明】
【００２４】
【図１】本実施形態におけるコーヒーメーカーの一部透視正面図である。
【図２】本実施形態におけるコーヒーメーカーの一部透視平面図である。
【図３】本実施形態におけるコーヒーメーカーの一部透視側面図である。
【図４】本実施形態における貯水タンクの平面図と正面図である。
【図５】本実施形態における貯水タンクの底面図と斜視図である。
【図６】本体の内部から貯水タンクを引き出した状態を示す要部斜視図である。
【図７】図６に対応する要部透視側面図である。
【図８】進退移動機構から貯水タンクを取り外した状態を示す要部透視側面図である。
【図９】本体の内部に貯水タンクを進入させた状態を示す要部斜視図である。
【図１０】図９に対応する要部透視側面図である。
【発明を実施するための形態】
【００２５】
以下、本発明におけるコーヒーメーカーの実施形態について図面に基づいて説明する。図１〜図３に示すように、本実施形態におけるコーヒーメーカー１００は、ヒーター１０が一体に取り付けられた貯水タンク２０を本体３０に着脱可能にした基本的構成を備えている。本体３０には、貯水タンク２０と、貯水タンク２０を本体３０の内部と外部に進退させる進退移動機構４０と、揚水パイプ５０と、進退移動機構４０が連結されると共に揚水パイプ５０が取り付けられたリンク部６０と、給湯用ポンプ７０と、ヒーター１０と給湯用ポンプ７０に電力供給する電源部８０と、コーヒー抽出部９０がそれぞれ配設されている。本実施形態においては、本体３０と着脱可能なドリッパーをコーヒー抽出部９０として採用している。
【００２６】
図１〜図５に示すように、ヒーター１０は、貯水タンク２０の底部に貯水タンク２０と一体に取り付けられており、貯水タンク２０の底部を構成している。貯水タンク２０の内底面はヒーター１０による加熱面に形成されており、貯水タンク２０内の水を所定温度まで加熱することができる。ヒーター１０の外底面には給電用のヒーター側給電コネクター１２が配設されているので、貯水タンク２０の外底面にはヒーター側給電コネクター１２が露出した状態になっている。ここでは、貯水タンク２０の外底面に凹部を形成し、この凹部の内底面にヒーター側給電コネクター１２を露出させている。このようにして形成されたヒーター側給電コネクター１２は、電源部８０と電気的に接続されていると共に進退移動機構４０の上面に突出させた状態で配設された電源側の給電コネクター４２に係脱可能になっている。
【００２７】
本実施形態における貯水タンク２０は、上面が開口する直方体型に形成されており、上面には蓋２２が着脱可能に装着されている。蓋２２には貯水タンク２０の上面開口部となる長孔２４が穿設されている。このような長孔２４により上面開口部を構成することにより、貯水タンク２０の上面開口部の開口面積を可及的に小さくすることができ、貯水タンク２０のお湯の保温性を高めることができる点で好都合である。
【００２８】
本実施形態においては、長孔２４の外周縁に沿ってシール用パッキン２６が所要高さで立設されている。シール用パッキン２６は合成ゴムやシリコーンゴム等に代表される弾性に富むと共に耐水性及び耐熱性を有する材料により形成されていることが好ましい。また、シール用パッキン２６は、図４および図５に示すように、閉塞板５２との当接部分である上端部分が、長孔２４の外側に反り返るいわゆるファンネル形状に形成されていることが好ましく、閉塞板５２との当接部分が水平面となるように形成されていることがより好ましい。
【００２９】
このようにして形成された貯水タンク２０内で作られたお湯は、上面開口部としての長孔２４から進退移動機構４０およびリンク部６０の動作によって給湯用ポンプ７０および給湯用ノズル７２が接続された揚水パイプ５０を進退させることによってコーヒー抽出部９０に供給することができる。
【００３０】
本体３０の外表面の所要箇所（ここでは正面の所要箇所）は、進退移動機構４０の一部を構成しており、本体３０の外表面から離反可能に形成されている。本実施形態における進退移動機構４０は、図６〜図８に示すように、本体３０の外表面の一部となる壁部４０Ａと本体３０の内部で本体３０の奥行き方向に沿って配設された２本のスライドレール４０Ｂおよびスライドレール４０Ｂに取り付けられた載置部４０Ｃにより形成されている。また、本実施形態においては多段式構造のスライドレール４０Ｂを採用しているので、進退移動機構４０による貯水タンク２０のスライド量を増やすことができる。これにより、貯水タンク２０と進退移動機構４０との係脱を行う際に本体３０が邪魔にならない位置まで貯水タンク２０を本体３０の外部まで引き出しすることができるため好都合である。
【００３１】
スライドレール４０Ｂに取り付けられた載置部４０Ｃの上面には、図８に示すように電源部８０と電気的に接続された電源側の給電コネクター４２が突設されている。凸形状に形成された電源側の給電コネクター４２は、凹形状に形成された貯水タンク２０のヒーター側給電コネクター１２（図５参照）と嵌合可能に形成されている。また、載置部４０Ｃを本体３０の内部に進入させる際における先頭面およびこの面に対向する本体３０の内表面には、本体３０に載置部４０Ｃ（貯水タンク２０）を一時的に固定するためのキャッチ機構４４が配設されている。本実施形態におけるキャッチ機構４４には、プッシュキャッチ型の機構を用いているが、キャッチ機構４４はプッシュキャッチ型に限定されるものではなく、ボールキャッチ型等の他の公知の構成を採用することができる。
【００３２】
本体３０の内部において貯水タンク２０の進退動作によって回動するリンク部６０は、２本のリンク体６２，６３と、これらをＬ字型に連結して本体３０に回動可能に支持された回転軸部６４とにより形成されている。回転軸部６４は貯水タンク２０が本体３０の内部と外部との間を進退移動する方向と水平方向に直交する軸線周り（水平軸線周り）に回動可能に支持されている。
【００３３】
本実施形態における２本のリンク体６２，６３のうち一方のリンク体６２は、基本筒体６２Ａと、基本筒体６２Ａの内部に収容され、基本筒体６２Ａの長手方向にスライド移動可能な小径筒体６２Ｂとを有している。また、他方のリンク体６３は筒体または棒体により形成されている。本実施形態においては一方のリンク体６２を基本筒体６２Ａと小径筒体６２Ｂとで構成しているが小径筒体６２Ｂを小径筒体６２Ｂの外径寸法が等しい小径棒体（図示せず）にすることもできる。さらには、一方のリンク体６２を３本以上の筒体または筒体および棒体により形成することもできるし、他方のリンク体６３も複数本の筒体または筒体および棒体を連結して形成することもできる。
【００３４】
本実施形態における一方のリンク体６２は、基本筒体６２Ａの側の先端が載置部４０Ｃに回動可能に連結されていると共に、小径筒体６２Ｂの側の先端が回転軸部６４に回動可能に連結されている。基本筒体６２Ａと小径筒体６２Ｂの長さは同じ程度に形成されているため、一方のリンク体６２は最短状態と最長状態との長さ寸法差を大きくすることができる。ここでは、一方のリンク体６２を最長状態にしても基本筒体６２Ａと小径筒体６２Ｂは所要長さ範囲で重複するようになっているため、重複部分における互いの先端部分には特に抜け止め加工をする必要はない。
【００３５】
また、他方のリンク体６３は、一方の端部が回転軸部６４に固定されていると共に、他方の端部には貯水タンク２０の上面開口部（長孔２４）を閉塞可能に形成された閉塞板５２が取り付けられている。閉塞板５２が貯水タンク２０の長孔２４を閉塞する際には、長孔２４に沿って立設されたシール用パッキン２６を弾性変形させた状態で当接することで貯水タンク２０の上面開口部をシールした状態で閉塞することができる。本実施形態におけるシール用パッキン２６は、弾性に富んだ材料で閉塞板５２との当接面が水平面となるファンネル形状に形成されているため、閉塞板５２とのシール性をきわめて高い状態にすることができる。
【００３６】
閉塞板５２には板厚方向に貫通する貫通孔５４が２箇所に穿設されており、貫通孔５４に揚水パイプ５０および温度センサー５６を挿通させた状態で揚水パイプ５０を閉塞板５２に配設している。温度センサー５６は図示しない動作制御部に接続されていて、貯水タンク２０内の水温をモニタリングし、動作制御部が電源部８０によるヒーター１０への電力供給の動作制御を行っている。なお、貫通孔５４は閉塞板５２が貯水タンク２０の蓋２２に形成された長孔２４を閉塞した状態において、長孔２４が形成されている範囲内に位置するように位置合わせされた状態で形成されている。
【００３７】
リンク部６０は、図６および図７に示すように進退移動機構４０に載置された貯水タンク２０を本体３０の外部に退出させた状態においては、閉塞板５２を貯水タンク２０の蓋２２から離反させると共に、揚水パイプ５０および温度センサー５６を貯水タンク２０の内部から退出させた状態にする。同じくリンク部６０は、図９および図１０に示すように進退移動機構４０に載置された貯水タンク２０を本体３０の内部に進入させた状態においては、貯水タンク２０の蓋２２に形成された長孔２４を閉塞板５２により閉塞させると共に、揚水パイプ５０および温度センサー５６を長孔２４部分から貯水タンク２０の内部に進入させた状態にする。
【００３８】
このように揚水パイプ５０および温度センサー５６は、リンク部６０により本体３０に対する進退移動機構４０の位置に応じて貯水タンク２０の内部と貯水タンク２０の外部との間を進退することになる。同じくリンク部６０は、本体３０に対する進退移動機構４０の位置に応じて閉塞板５２による貯水タンク２０の蓋２２に形成された上面開口部としての長孔２４の閉塞状態と非閉塞状態の切り替えを行っている。
【００３９】
本実施形態における貯水タンク２０の蓋２２に形成された長孔２４は、進退移動機構４０とリンク部６０による揚水パイプ５０および温度センサー５６の下端の平面視における移動位置よりも外方位置まで開口させている。これにより揚水パイプ５０および温度センサー５６は、進退移動機構４０とリンク部６０により回動しても、蓋２２に揚水パイプ５０の先端が引っかかることなく長孔２４の部分において貯水タンク２０の内部と外部との間を確実に進退することができる。
【００４０】
また、本実施形態における本体３０の内部には誤挿入防止部材９２（図１参照）が配設されている。誤挿入防止部材９２は、貯水タンク２０が本体３０の内部に進入する際の貯水タンク２０の移動経路の境界部分に配設されている。貯水タンク２０に蓋２２が正常に装着されていると共に進退移動機構４０に正しく装着されていれば、誤挿入防止部材９２が邪魔になることはなく貯水タンク２０を本体３０の内部に進入させることができる。これに対して貯水タンク２０（または蓋２２）が高さ方向または横方向の少なくとも一方においてずれている場合、貯水タンク２０（または蓋２２）が誤挿入防止部材９２に接触し、貯水タンク２０の本体３０の内部への進入が規制される。
【００４１】
したがって貯水タンク２０に対する蓋２２の装着状態が不完全な場合や、ヒーター側給電コネクター１２と電源側の給電コネクター４２との係合状態が不完全な場合や、貯水タンク２０と載置部４０Ｃとの間に異物が挟まっている場合等、いわゆる不適切な状態の貯水タンク２０は、誤挿入防止部材９２によって本体３０の内部への進入が阻止される。これにより、本体３０の内部からの貯水タンク２０の引き出しができない不具合や、ヒーター１０への給電ができない不具合や、貯水タンク２０からの水蒸気が本体３０の内部に排出される等の不具合の発生を防止することができる点で好都合である。
【００４２】
次に本実施形態におけるコーヒーメーカー１００の動作の一例について説明する。使用者は、コーヒー抽出部９０としてのドリッパーにろ過手段としてのろ紙をセットすると共にコーヒー粉を適宜投入し、コーヒー抽出部９０の出口にコーヒーサーバーに代表される容器９４をセットする。続いて使用者は、図６および図７に示すように、進退移動機構４０を引き出して貯水タンク２０を本体３０の内部から引き出しする。このとき、進退移動機構４０に連結されている一方のリンク体６２が伸長しながら回動し、リンク部６０（回転軸部６４）を回転させ、他方のリンク体６３に取り付けられている閉塞板５２を貯水タンク２０の蓋２２から離反させた状態にする。これにより、貯水タンク２０の上面開口部（長孔２４）から揚水パイプ５０および温度センサー５６が退出した状態になるので、図８に示すように進退移動機構４０から貯水タンク２０を容易に取り外しすることができる。
【００４３】
使用者は本体３０から取り外した貯水タンク２０の蓋２２を取り外し貯水タンク２０に所定量の水を入れる。続いて使用者は、貯水タンク２０に蓋２２を再装着した後、ヒーター側給電コネクター１２と電源側の給電コネクター４２とを凹凸嵌合させるようにして貯水タンク２０を進退移動機構４０にセットする。
【００４４】
次に使用者は、進退移動機構４０を本体３０の内部に押し込み、図９および図１０に示すように貯水タンク２０を本体３０の内部にセットする。このとき、一方のリンク体６２は短縮しながら回動してリンク部６０（回転軸部６４）を回動させ、他方のリンク体６３に取り付けられている閉塞板５２を貯水タンク２０の蓋２２に当接させると共に、揚水パイプ５０および温度センサー５６を蓋２２に形成されている長孔２４の部分から貯水タンク２０の内部に進入させる。
【００４５】
閉塞板５２が蓋２２に当接するときには、閉塞板５２は蓋２２の上面に突設されているシール用パッキン２６を弾性変形させながら密着し、貯水タンク２０の上面開口部である長孔２４をシールした状態で閉塞することができる。本実施形態のシール用パッキン２６は、貯水タンク２０をプッシュキャッチ型のキャッチ機構４４により本体３０にキャッチさせる際における押し込み動作による閉塞板５２の余回動での変形を加味したシール用パッキン２６の突設高さに形成されている。
【００４６】
このように進退移動機構４０の位置に応じて揚水パイプ５０および温度センサー５６を貯水タンク２０に進退させることで貯水タンク２０の本体３０への脱着を容易に行うことができる。これと同様に、進退移動機構４０の位置に応じて閉塞板５２による貯水タンク２０の上面開口部のシールされた閉塞状態と非閉塞状態との切り替えも行うことができるため、貯水タンク２０からの水蒸気が本体３０の内部に放出されることがない。これにより、貯水タンク２０で作られたお湯の水蒸気に起因する電源部８０や動作制御部および記憶部（いずれも図示せず）の故障を防止することができる。
【００４７】
続いて使用者は、図示しない抽出開始スイッチを操作し、コーヒーの抽出を開始する。抽出開始スイッチが操作されると、ＣＰＵに代表される動作制御部が不揮発性メモリーに代表される記憶部に予め記憶させておいたコーヒー抽出用プログラムに基づいて電源部８０の動作を制御し、ヒーター１０や揚水パイプ５０に接続されている給湯用ポンプ７０への電力供給が適宜行われる。このような動作制御部およびコーヒー抽出用プログラムによって、適切な温度のお湯を適切なタイミングおよび量で給湯用ノズル７２からコーヒー抽出部９０のコーヒー粉に供給することができるから、短時間で品質の高いコーヒーを得ることができるのである。
【００４８】
以上に本発明におけるコーヒーメーカー１００について実施形態に基づいて詳細に説明を行ったが、本発明の技術的範囲は、以上の実施形態に限定されるものではない。例えば、以上に説明した実施形態においては、本体３０にリンク部６０およびリンク部６０に取り付けられた閉塞板５２を有し、貯水タンク２０の上面には上面開口部としての長孔２４と、長孔２４に沿ってシール用パッキン２６が配設された蓋２２を有するコーヒーメーカー１００の形態について説明しているが、これらの構成は本発明におけるコーヒーメーカー１００における必須構成ではない。
【００４９】
本発明におけるコーヒーメーカー１００は、ヒーター１０が一体に取り付けられた貯水タンク２０と、貯水タンク２０内の水を汲み上げる揚水パイプ５０と、電源部８０をそれぞれ有する本体３０に対し、貯水タンク２０が着脱可能に取り付けられ本体３０の内部と外部との間で進退可能な進退移動機構４０を備え、進退移動機構４０には電源部８０と電気的に接続され、貯水タンク２０に係脱可能に形成された給電コネクターとしての電源側の給電コネクター４２が配設されていればよい。
【００５０】
また、本実施形態においては、ヒーター１０を貯水タンク２０の底面に一体に取り付けた形態について説明しているが、貯水タンク２０へのヒーター１０の取り付け位置は底面に限定されるものではない。また、ヒーター１０を貯水タンク２０に任意に着脱可能にした形態を採用することもできる。
【００５１】
また、本実施形態においては、貯水タンク２０の外底面に配設した凹部にヒーター側給電コネクター１２を露出させているが、ヒーター側給電コネクター１２を凸形状に形成し、電源側の給電コネクター４２を凹形状に形成してこれらを嵌合させる形態を採用することもできる。また、貯水タンク２０の外表面のいずれかの面に、電源側の給電コネクター４２が係脱可能なヒーター側給電コネクター１２を配設することもできる。さらにはヒーター側給電コネクター１２と電源側の給電コネクター４２とを互いに平坦面に形成して、凹凸嵌合させることなく電気的に接続させる形態を採用することも可能である。
【００５２】
また、本実施形態においては、貯水タンク２０に上面開口部が形成されている形態について説明しているが、揚水パイプ５０および温度センサー５６を貯水タンク２０の側面や底面から貯水タンク２０の内部と連通させる場合には、必ずしも貯水タンク２０に上面開口部を設ける必要はない。このように貯水タンク２０に上面開口部がない形態や、本体３０の内部に配設されている構成が完全防水処理されている場合においては、閉塞板５２の配設も省略することができる。このように閉塞板５２の配設を省略した場合には、揚水パイプ５０と温度センサー５６をリンク体６３に直接取り付ければよい。
【００５３】
さらには、本実施形態においては、本体３０の内部に回動可能に保持されたリンク部６０を有し、リンク部６０に閉塞板５２を取り付けると共にリンク部６０に載置部４０Ｃを連結させた形態について説明しているが、本体３０の内表面または載置部４０Ｃの外表面に揚水パイプ５０との連結部分が設けられていれば、閉塞板５２または閉塞板５２およびリンク部６０の配設を省略した形態を採用することもできる。
【００５４】
また、温度センサー５６は進退移動機構４０の動作によるリンク部６０の動作によって貯水タンク２０に進退させる形態に限定されるものではなく、貯水タンク２０または揚水パイプ５０の経路内に適宜配設した形態を採用することもできる。
【００５５】
また、本実施形態においては、コーヒー抽出部９０として使用者が本体３０に着脱するドリッパーを採用した形態について説明しているが、コーヒーメーカー１００に組み込まれ、コーヒーメーカー１００が自動的にコーヒー抽出後のコーヒー粉の破棄等の後処理を行う形態を採用することもできる。
【００５６】
さらに、コーヒーメーカー１００を用いてコーヒーの抽出を行う手順についても本実施形態で示した手順とは異なる手順で行うことができる。
【００５７】
そして以上に示した変形例の他、本実施形態において説明した変形例等を適宜組み合わせた形態を採用することも可能である。
【符号の説明】
【００５８】
１０  ヒーター，１２  ヒーター側給電コネクター，
２０  貯水タンク，２２  蓋，２４  長孔（上面開口部），２６  シール用パッキン，
３０  本体，
４０  進退移動機構，４０Ａ  壁部，４０Ｂ  スライドレール，４０Ｃ  載置部，
４２  電源側の給電コネクター，４４  キャッチ機構，
５０  揚水パイプ，
５２  閉塞板，５４  貫通孔，５６  温度センサー，
６０  リンク部，６２  リンク体，６２Ａ  基本筒体，６２Ｂ  小径筒体，
６３  リンク体，６４  回転軸部，
７０  給湯用ポンプ，７２  給湯用ノズル，
８０  電源部，
９０  コーヒー抽出部，
９２  誤挿入防止部材，９４  容器，
１００  コーヒーメーカー
【図１】
2018201788.tif 000003
【図２】
2018201788.tif 000004
【図３】
2018201788.tif 000005
【図４】
2018201788.tif 000006
【図５】
2018201788.tif 000007
【図６】
2018201788.tif 000008
【図７】
2018201788.tif 000009
【図８】
2018201788.tif 000010
【図９】
2018201788.tif 000011
【図１０】
2018201788.tif 000012